(57)【要約】【課題】ペットの毛を傷めにくいうえに、１台当たりの処置ペット数を増すことができるペット用ミストドライヤ装置を目的とするものである。【解決手段】  施術台に置かれた洗毛後のペットに向けられる温風吹出口を通じて前記ペットに向けて乾燥用の温風が吹き出される温風吹出装置２と、前記ペットに先端吹出口が向けられてこの先端吹出口から吹き出される温ミストの吹き付けを行えるフレキシブルのミストホース３８を接続してある温ミスト発生装置３とを設置して、洗毛後のペットの毛の乾燥を自動的に行いながら、温ミスト発生装置に接続された前記したミストホース３８を施術者が片手で把持して温ミストを噴霧しながら他方の手で必要な処置を施すことにより毛の表面から内部にわたりミストを浸透させるなどの優しい洗毛後処理を行えるようにした。【選択図】  図１
0003128180.tif 000002
【実用新案登録請求の範囲】
【請求項１】
施術台に置かれた洗毛後のペットに向けられる温風吹出口を通じて前記ペットに向けて乾燥用の温風が吹き出される温風吹出装置と、前記ペットに先端吹出口が向けられてこの先端吹出口から吹き出される温ミストの吹き付けを行えるフレキシブルのミストホースを接続してある温ミスト発生装置とを設置してあることを特徴とするペット用ミストドライヤ装置。
【請求項２】
温風吹出装置の温風吹出口がペットの所望位置に向けられるものとしたことを特徴とする請求項１に記載のペット用ミストドライヤ装置。
【請求項３】
温ミスト発生装置の先端吹出口がペットの所望位置に向けられるものとしたことを特徴とする請求項１または２に記載のペット用ミストドライヤ装置。
【請求項４】
温風吹出装置または温ミスト発生装置または両者にイオン発生装置が設けられることを特徴とする請求項１〜３のいずれかに記載のペット用ミストドライヤ装置。
【請求項５】
温風吹出装置が、台車に立設されている高低調節自在な支柱に揺動機構を介して取り付けられて温風吹出口がペットの所望領域に向けられるように揺動自在としてある請求項２に記載のペット用ミストドライヤ装置。
【請求項６】
温風吹出装置が複数個の温風発生機を備えたものであり、各温風発生機毎に温風吹出口が設けられている請求項１〜５のいずれかに記載のペット用ミストドライヤ装置。
【請求項７】
温風吹出口が温風吹出装置の本体に対して着脱交換自在な吹出管の先端に形成されている請求項１〜６のいずれかに記載のペット用ミストドライヤ装置。
【請求項８】
吹出管が１個の温風吹出口より二股状に分岐されている請求項７に記載のペット用ミストドライヤ装置。
【請求項９】
吹出管が温風吹出装置の本体に対して回動自在とされている請求項７または８に記載のペット用ミストドライヤ装置。
【考案の詳細な説明】
【技術分野】
【０００１】
本考案はペットを洗ったり入浴させたりした後、毛を乾燥させるために用いるペット用ミストドライヤ装置に関するものである。
【背景技術】
【０００２】
従来、電動モータで駆動回転されるファンにより発生される風をヒータ手段で加熱して温風が吹き出されるようにしたドライヤ本体を、キャスターを備えたスタンドの上部に設けて上下方向に旋回自在、且つ高さ調整自在とし、また、温風の吹出管先端に取り付けられるフレキシブルホースを任意の方向に屈曲自由とされ屈曲された姿勢を保持することができるものがある（例えば、特許文献１参照）。また、電動モータで駆動回転されるファンにより発生される風をヒータ手段で加熱して温風が吹き出されるようにしたドライヤー本体を、キャスターを備えたスタンドの上部に取り付けた二又形の支持体により垂直面内で旋回可能に設けるとともに、前記支持体の可動支持部材を水平面内で旋回可能とすることにより、ドライヤ本体を垂直面内及び水平面内の何れの方向へも旋回可能としたものがある（例えば、特許文献２参照）。
【０００３】
しかし、これらのものは温風をペットの毛に吹き付けて乾燥させるだけのため、熱によりペットの毛が傷むという問題がある。
【特許文献１】実用新案登録３０６３６８２号
【特許文献２】実用新案登録３１１１６９４号
【考案の開示】
【考案が解決しようとする課題】
【０００４】
本考案は、ペットの毛を傷めにくいペット用ミストドライヤ装置を提供することを目的とするものである。
【課題を解決するための手段】
【０００５】
前記した課題を解決した本考案は、施術台に置かれた洗毛後のペットに向けられる温風吹出口を通じて前記ペットに向けて乾燥用の温風が吹き出される温風吹出装置と、前記ペットに先端吹出口が向けられてこの先端吹出口から吹き出される温ミストの吹き付けを行えるフレキシブルのミストホースを接続してある温ミスト発生装置とを設置してあることを特徴とするペット用ミストドライヤ装置である。なお、前記した考案において、温風吹出装置の温風吹出口がペットの所望位置に向けられるものとしたり、温ミスト発生装置の先端吹出口がペットの所望位置に向けられるものとしたり、温風吹出装置または温ミスト発生装置または両者にイオン発生装置が設けたものとしたり、温風吹出装置を、台車に立設されている高低調節自在な支柱に揺動機構を介して取付けられて温風吹出口がペットの所望領域に向けられるように揺動自在としたり、温風吹出装置を、複数個の温風発生機が備えられたものとして、各温風発生機毎に温風吹出口を設けておくこともでき、この場合、温風吹出口を吹出装置本体に対して着脱交換自在な吹出管の先端に形成されたものとすることもできる。さらに、吹出管を１個の温風吹出口より二股状に分岐されたものとしたり、温風吹出装置の本体に対して回動自在としておくこともできる。
【考案の効果】
【０００６】
本考案は、施術台に置かれた洗毛後のペットに温風吹出口が向けられてこの温風吹出口を通じて前記ペットに乾燥用の温風を吹き出す温風吹出装置とは別に、前記ペットに先端吹出口を向けてこの先端吹出口より吹き出される温ミストの吹き付けを行えるフレキシブルのミストホースが接続された温ミスト発生装置を設置したので、洗毛後における毛の乾燥は温ミストを吹き付けながら行うため、毛の表面から内部にわたってミストが浸透されるので、温風乾燥により毛から水分が失われて毛を傷めたり、毛をぱさつかせたり、毛の艶が失われることを防止できる。また、温風乾燥や温ミストの吹き付けを自動的に行うことができるので人件費を削減できるものとなるので、施術者は他の処置を行うことができるので、一連の施術を効率よく行うことができる。
【０００７】
温風吹出装置の温風吹出口がペットの所望位置に向けられるものとすることにより、乾きにくい部位には温風の吹き付け時間を長くすることにより効率よく毛を乾燥することができる。
【０００８】
温ミスト発生装置の先端吹出口がペットの所望位置に向けられるものとすることにより、傷んだ毛の部位に温ミストを多く吹き付けて毛の傷みを抑えることができる。
【０００９】
また、温風吹出装置または温ミスト発生装置または両者にイオン発生装置が設けられるものとすれば、マイナスイオンは温風または温ミストあるいは温風と温ミストとともにペットの毛に吹き付けられるので、毛は傷むことなく乾燥される。
【００１０】
さらに、温風吹出装置を台車に立設されている高低調節自在な支柱に揺動機構を介して取付けて温風吹出口がペットの所望領域に向けられるように揺動自在としたり、温風吹出装置を複数個の温風発生機が備えられたものとして、各温風発生機毎に温風吹出口が設けるなどして複数の温風吹出機が連動または個別に揺動されるようにすれば、ペットの左右の胴部横面を同時に乾燥したり、隣り合うペットの胴部横面の乾燥を一つの装置で行うことができるので、能率を大幅に向上させることができる。
【００１１】
さらに、温風吹出装置の温風吹出口を１個ではなくを複数としておけば、その一つをペットの所定部位に向けたうえ、他方をペットの他の部位に向けたり、他のペットに向けたりできるので、施術時間を短縮したり施術数を増すことができるし、温風吹出装置と温ミスト発生装置は台車毎移動できるのでペットに対して最適な位置から温風や温ミストを吹き出すことができる。
【００１２】
また、温風吹出口が温風吹出装置の本体に対して着脱交換自在な吹出管の先端に形成されたものとするなど、吹出管を着脱交換自在とすることにより、各種施術作業に応じた吹出管に交換できるので施術者作業の効率を高めることができるうえに、吹出管が破損した場合、吹出管だけを交換すればよいので、ランニングコストを低減できるものとなるし、吹出管を１個の温風吹出口より二股状に分岐されたものとして温風吹出口を増やすことができるようにすれば、一匹以上のペットの複数部位の乾燥を行うことができ、施術者作業の効率を大幅に向上させることができ、また、吹出管を温風吹出装置の本体に対して回動自在として温風吹出口の向きを変えられるようにすれば、ペットの背部あるいは胴部横面等に吹出し口を自由に向けることができるので、乾燥むらのない均一な乾燥が行えるものとなり、同じ部位のみに温風が当たり過ぎて毛が乾燥し過ぎたり、火傷したりすることを的確に防止できるうえに、効率よくペットの毛を乾燥できるものとなる。
【考案を実施するための最良の形態】
【００１３】
次に、本考案の第１の実施例を図１〜３に基いて詳細に説明する。
図１中、１は温風吹出装置２と温ミスト発生装置３とを台車４上に設置してある装置本体である。温風吹出装置２は台車４に立設されている高低調節自在な支柱の先端に第１の揺動機構５を介して取り付けられて左右（水平）方向に揺動自在となっており、また、前記した第１の揺動機構５に取り付けられるＵ字状ブラケット６０に第２の揺動機構５を介して軸支されるため、第１の揺動機構５により左右方向に揺動され、第２の揺動機構５により上下方向に揺動される。このため第１および第２の揺動機構５を交互または一定のパターンで駆動させれば立体的な揺動運動を行うことができる。
【００１４】
また、前記した温風吹出装置２は、図示しない送風機とヒータおよび複数の吹出管２０ａとからなり、複数の温風吹出口をもつものである。前記吹出管２０ａに向う送風路中にはオゾン発生装置２０ｂとマイナスイオンを発生するイオン発生装置２０ｃとが組み込まれている。また、吹出管２０ａは接続口２０ｄに回転自在、且つ、着脱自在とされている。吹出管２０ａは回転させることにより先方側面の吹出し口位置が３６０°変えられるようにしたコーン形状のものと、先端の温風吹出口を任意の方向に屈曲できるようフレキシブルな円錐台形状のものとがあり、別々のものを取り付けても同じものを取り付けてもよく、要は温風吹出し口を任意の方向に向けて隣り合う２匹のペットの施術を行ったり、一匹のペットの様々な部位の乾燥を行ったりすることができればよいものである。
【００１５】
なお、前記したオゾン発生装置２０ｂは送風空気中に含まれる雑菌を殺菌して感染症を防止したり、送風空気中に含まれるペット臭やシャンプー臭を脱臭したりするものであり、前記イオン発生装置２０ｃは発生したマイナスイオンを毛の表面に付着させて温風乾燥による毛から水分の蒸発を防止して毛を保護している。
【００１６】
一方、前記した台車４に温風吹出装置２とは別に設置してある温ミスト発生装置３は、図３に示されるように、蒸気発生機構３０と、ミスト発生機構３１と、蒸気とミストを混合する混合器３２と、蒸気発生機構３０とミスト発生機構３１とに給水を行う給水タンク３３と、温ミストによる結露水を貯留する結露水タンク３４とからなり、給水タンク３３には図示しない水位センサが設けられて水位を常時一定に維持するようになっている。そして、この蒸気発生機構３０はヒータ３０ａを底部に配置させた蒸気釜３０ｂからなり、該蒸気釜３０ｂの底部は給水タンク３３と配管接続され、蒸気釜３０ｂの水位が常時に一定に維持されるようになっている。また、蒸気釜３０ｂの上部は混合器３２と配管接続され、蒸気釜３０ｂで発生した蒸気が混合器３２に送り込まれるようになっている。また、前記したミスト発生機構３１は超音波振動子３１ａを底部に配置させた水タンク３１ｂからなり、該水タンク３１ｂの水位より上方に送風機３１ｃの送風口が臨んでいる。また、貯水タンク３１ｂの底部は給水タンク３３と配管接続され、水タンク３１ｂの水位が常時に一定に維持されるようになっている。さらに、水タンク３１ｂの上部は混合器と３２と配管接続され、ミストは混合器３２に送り込まれるようになっている。
【００１７】
結露水タンク３４は混合器３２と配管接続されて、蒸気とミストとが混合器３２により混合されて生成された温ミストにより生じた結露水が滴下貯留されて結露水が温ミストとともに噴霧されることがないようにしている。また、３４ａは温ミスト噴霧用のフレキシブルのミストホース３８を接続する接続口であり、該接続口３４ａは結露水タンク３４に貯留された結露水水位より上方に設けられている。３４ｃは図１に示されるように接続口３４ａに嵌着されるキャップ付の二又ソケットであり、該二又ソケット３４ｃにミストホース３８が１本または２本接続できるようになっている。
【００１８】
そして、図１に鎖線で示されるミストホース３８を取り付けて温風吹出装置２の吹出し口に向けてミストを噴霧できるようにして、温風中に温ミストが混合されるようにしてもよいし、図１に実線で示されるように、フレキシブルアーム３９にミストホース３８を保持させて適宜方向に温ミストを噴霧するようにしてもよいし、施術者が手持ちでミストホース３８を扱ってペットの所定部位に温ミストを噴霧するようにしても良いことは勿論である。
【００１９】
また、図３において、３５、３６、３７は混合器３２と結露水タンク３４とを接続させる配管中に取り付けられるサーミスタ、オゾン発生器およびイオン発生装置であり、オゾン発生装置３７により温ミストの脱臭や温ミスト中の雑菌を殺菌し、イオン発生装置３６により発生するマイナスイオンは毛の表面に付着して毛を乾燥温風から保護する。また、サーミスタ３５によりミスト発生機構３１により発生するミスト量を調整して温ミストの温度を調整するようにしている。
【００２０】
また、前記移動機構４は本体１の底部に取り付けられるキャスター４０ｂと、本体１の背面に立設された支柱４０ｃに設けられる高さ調整機器４０ｄとからなり、キャスター４０ｂにより本体１は水平移動自在とされ、高さ調整器４０ｄにより温風吹出装置２は上下位置調整自在とされている。また、温風吹出装置２を左右および上下に揺動させる第１および第２の揺動機構５は図４に示されるように、ギヤモータ５０ａと、該ギヤモータ５０ａにより駆動されるクランク５０ｂと、該クランクピンが係合される切欠が形成される揺動板５０ｃとからなる。また、クランク５０ｂはギヤモータ５０ａにより旋回運動されるアームと、該アームの先端に基端を枢着させた弧状の連繋板とからなり、連繋板を弧状とすることにより安定した揺動ができるようにしている。
【００２１】
そして、ギヤモータ５０ａによりクランク５０ｂがクランク運動を行うことにより揺動板５０ｃは往復旋回運動を行うこととなるが、揺動板５０ｃの先端は移動機構４の支柱４０ｃ、あるいはＵ字状ブラケット６０に固定されているため、切欠に係合されるクランクピンにより揺動板５０ｃが揺動され、温風吹出装置２は左右あるいは上下に揺動を繰り返すこととなる。また、第１および第２の揺動機構５を交互または一定のパターンで駆動することにより温風吹出装置２は立体的な揺動運動を行うこととなる。第１の揺動機構５と第２の揺動機構５との相違は、水平に配置するか垂直に配置するかによるものである。
【００２２】
また、７０はペットの毛にアイロンをかける場合に用いるアイロンであり、該アイロン７０は装置本体１のポケット部１ａに着脱自在に装着されるもので、図１９、２０、２１に示されるように、基部を枢着した挟動自在なはさみ部材７１の各はさみ片７１ａの内側対向面にアイロンヒータ７２を設けるとともに、はさみ片７１ａ間基部に温ミストの吹出口７３を設けたものである。７４は装置本体１の温ミスト発生装置３から供給される温ミストを吹出口７３に送出するチューブであり、該チューブ７４の他端は二又ソケット３４ｃに接続される。７６はアイロン７０に電力を供給する電源コードである。そして、ペットの毛にアイロンをかける際、温ミストが同時に吹き付けられるのでペットがアイロンの熱で嫌がったり暴れたりすることがないうえに毛が熱で傷むことがないものとなる。さらに、図２２はアイロン７０の他の実施例を示すもので前記アイロン７０とはアイロンヒータ７２を断面円弧状のパーマ用とした点が相違する以外は同じ構成で作用効果も同じであるため同一符号を付して説明を省略する。
【００２３】
このように構成されたものは、ペットを施術台Ｐに拘束してペットの体を洗ったり入浴させたりした後、ペットを拘束した施術台Ｐを施術台上に置いたうえ、移動機構４のキャスター４０ｂにより装置本体１を水平移動させてペットに接近させるとともに高さ調整機器４０ｄを上下動させて温風吹出装置２の吹出管ノズル２０ａの吹出し口がペットに向うよう位置合わせを行う。
【００２４】
続いて、温風吹出装置２と温ミスト発生装置３を駆動するとともに、第１あるいは第２の揺動機構５を駆動して温風吹出装置２の左右の吹出管２０ａを左右（水平）揺動あるいは上下（垂直）揺動あるいは左右揺動と上下揺動とを交互あるいは一定のパターンで行ってペットの所定部位に温風を吹き付けて乾燥を行う。具体的には、第１の揺動機構５により温風吹出装置２を左右（水平）に揺動させることによりペットの背部（胴部も乾燥される）を乾燥させ、第２の揺動機構５により温風吹出装置２を上下（垂直）に揺動させることによりペットの胴部（背部および腹部も乾燥される）を乾燥させる。
【００２５】
このとき必要に応じて施術台Ｐの位置をずらして非乾燥部位が残らないようにするか、あるいは、第１および第２の揺動機構５を交互または一定のパターンで駆動することにより、立体的な上下左右の揺動運動が行われるため、ペットの背部と胴部とが同時に乾燥されることとなる。この温風乾燥時、温風吹出装置２のオゾン発生装置２０ｂにより送風空気中にオゾンが混入されるので、送風空気中の雑菌は殺菌されるうえに送風空気中のペット臭やシャンプー臭を脱臭できるので、ペットの感染症を防止したり、他のペット臭によりペットが興奮したり、匂いに敏感な犬がシャンプーその他の臭によりストレスを与えることがないことは勿論、施術者自身もペット臭や薬剤臭等による不快感を感じることなくなるので良好な作業環境となる。また、温風吹出装置２のイオン発生装置２０ｃにより発生されたマイナスイオンは送風空気中に混入してペットの毛の表面にマイナスイオンを付着させるので、温風乾燥による毛から水分の蒸発を防止して毛を保護することとなり毛を傷めることがなく艶のある毛並みに仕上げることができる。
【００２６】
また、温風吹出装置２による毛の温風乾燥中、温ミスト発生装置３のミストホース３８を施術者が手持ちで乾燥部位や毛が傷んでいる部位に温ミストを噴霧したり、フレキシブルアーム３９にミストホース３８を支持させて温風が吹き付けられる部位に温ミストを吹き付けることにより、マイナスイオンを含む温ミストは温風乾燥される部位の毛に吹き付けられるので、子犬や子猫等のように毛が柔らかなペットでも毛を傷めることなく乾燥できる。
【００２７】
さらに、温ミスト発生装置３のオゾン発生装置３７により温ミストは殺菌されるので感染症を起こすことを的確に防止できるうえに、オゾン発生器３７により温ミスト中に含まれるペット臭やシャンプー等の匂いは消臭されることとなるので、他のペットの匂いによりペットが興奮したり、匂いに敏感な犬がシャンプーその他の臭によりストレスを与えることがないことは勿論、施術者自身もペット臭や薬剤臭等による不快感を感じることなくなるので良好な作業環境となる。
【００２８】
また、毛の長いペットの場合は、客の要望に応えてアイロン６０によりにペットの毛にアイロンをかけてパーマを施せばよい。このアイロン６０によるパーマは温ミストを吹き付けながら行うためペットがアイロン６０の熱がペットに伝わることはないので、ペットが熱さで暴れることはないうえに、ペットの毛がアイロン６０の熱で傷むこともない。
【００２９】
なお、前記第１の実施例では第１、第２の揺動機構５は常時揺動自在なものとしているが、任意の角度で停止できるものとしても良く、また、第１の実施例では第１、第２の揺動機構５を設けて温風吹出装置２を立体的に揺動させているが、一つの揺動機構５により立体的な揺動を行うようにしても良いことは勿論であり、この揺動機構５は縦型と横型の揺動機構を一つに組み合わせることにより得られる。
【００３０】
図５、６に示される第２の実施例は、移動機構４を事務椅子様のものとし、その支柱４０ｃに第１の揺動機構５を介して本体１を取り付けるとともに、本体１に取り付けられるＵ字状ブラケット６０に第２の揺動機構５を介して温風吹出装置２を軸支した点と、温風吹出装置２に吹出管２０ａの接続口２０ｄと、延長用フレキシブルホースよりなる吹出管２０ａを接続する接続口２０ｅとを設けた点および、ミスト発生発生装置３の接続口３４ａにキャップ付の二又ソケットを接続せずミストホース３８を１本のみ使用する点が第１の実施例と相違する以外は同じ構成で効果も同じため同一符号を付して説明を省略する。なお、この第２の実施例では接続口３４ａにミストホース３８を接続するものとしているが、キャップ付の二又ソケット３４ｃを取り付けてミストホース３８が２本接続できるようにしてもよいことは勿論である。また、前記第２の実施例では第１、第２の揺動機構５は揺動自在なものとしているが、任意の角度で停止されるものとしても良いことは勿論である。さらに、第１の実施例では第１、第２の揺動機構５を設けて温風吹出装置２を立体的に揺動させているが、一つの揺動機構５により立体的な立体的な揺動を行うようにしても良いことは勿論である。なお、アイロン７０は装着されていないが装着してもよいことは勿論である。
【００３１】
また、図７、８、９に示される第３の実施例は、前記第２の実施例と同様に移動機構４を事務椅子様のものとし、その支柱４０ｃに温風吹出装置２、２を左右揺動させる第１の揺動機構５を介して本体１を取り付けるとともに、装置本体１の両側面に第２の揺動機構５、５を介して該温風吹出装置２、２を上下揺動自在に取り付け、温風吹出装置２を連動または個別に上下方向に揺動できるようにして使い勝手を向上させた点と、各温風吹出装置２に着脱自在、且つ回転自在に吹出管２０ａを取り付けた点が前記各実施例と相違する以外は同じ構成で効果も同じため同一符号を付して説明を省略する。なお、第３の実施例では一方の温風吹出装置２にコーン形状の吹出管２０ａを取り付け、他方の温風吹出装置２にフレキシブルな円錐台形状の吹出管２０ａを取り付けたものとしているが、両方ともコーン形状のものとしたり、フレキシブルな円錐台形状のものとしたりしてもよいことはいうまでもない。また、アイロン７０は装着されていないが装着してもよいことは勿論である。
【００３２】
さらに、図１０、１１、１２に示される第４の実施例は、第３の実施例と基本構成は同じとし、ミストホース３８、３８を本体１の前面に設け、先方部を継手を介して屈曲自在とするとともに該継手を温風吹出装置２の内側面に固定し、温ミストの噴霧方向を自由に変更できるようにすることにより、左右のフレキシブルな円錐台形状の吹出管２０ａから吹出される温風に温ミストを混合させたり、混合させることなく個別に温風と温ミストをペットに吹き付けるという作業が施術者の手を塞ぐことなく行えるようになっている点が相違する以外は前記各実施例と同じ構成で作用効果も同じための同一符号を付して説明を省略する。なお、アイロン７０は装着されていないが装着してもよいことは勿論である。
【００３３】
図１３、１４に示される第５の実施例は、本体１の上面に第２の揺動機構５を介して温風吹出装置２を取り付けて、温風吹出装置２を上下方向に揺動させるようにした点と、吹出管２０ａを二又状として吹出管２０ａの一方の吹出し口に延長用のフレキシブルホースよりなる吹出管２０ａを接続し、他方の吹出し口をペットの例えば頭部に向けたものとするとともに、一方のフレキシブルホースよりなる吹出管２０ａの吹出し口を施術者が手持ちでペットの離れた別部位に向けて温風を吹出すことにより、揺動される吹出し口では充分な乾燥ができない部位の乾燥を行えるようにした点が前記実施例と相違する以外は同じ構成で作用効果も同じため同位置符号を付して説明を省略する。なお、アイロン７０は装着されていないが装着してもよいことは勿論である。
【００３４】
図１５、１６に示される第６の実施例は、温風吹出装置２に分岐管２０ｆを設けて該分岐管２０ｆの左右の接続口２０ｂに吹出管２０ａを回動自在、且つ、着脱自在に取り付け、左右の吹出管２０ａの吹出し口を内側に向けて温風を吹出すことにより一匹のペットの胴部両側を同時に乾燥させることができ、また、吹出し口を外側に向けることにより２匹のペットの胴部一側を乾燥させることができる点が、前記各実施例と相違する以外は同じ構成で作用効果も同じため同一符号を付して説明を省略する。なお、アイロン７０は装着されていないが装着してもよいことは勿論である。
【００３５】
図１７に示される第７の実施例は、第６の実施例と基本的な構成は同じとし、装置本体１の移動機構４を壁取付用の自在アーム４０ｅとして、キャスタ４０ｂや高さ調節機４０ｄを用いることなく装置本体１を上下左右に移動自在とし、床上に装置本体１を配置しなくてよく、床面積を有効に利用できるようにした点が、前記各実施例と相違する以外、作用効果は同じため、同一符号を付して説明を省略する。なお、アイロン７０は装着されていないが装着してもよいことは勿論である。
【００３６】
図１８に示される第８の実施例は、第６、７の実施例と基本的な構成は同じとし、装置本体１の移動機構４をポール取付用の自在アーム４０ｅとして、キャスタ４０ｂや高さ調節機４０ｄを用いることなく装置本体１を上下左右に移動自在とし、床上に装置本体１を配置しなくてよく、床面積を有効に利用できるようにした点が、前記各実施例と相違する以外、作用効果は同じため、同一符号を付して説明を省略する。なお、アイロン７０は装着されていないが装着してもよいことは勿論である。
【００３７】
図２３、２４に示される第９の実施例は、施術台を箱状とし、該箱状の施術台に温風吹出装置２を設けるとともに、該箱状の施術台に別設された温ミスト発生装置３のミストホース３８を接続し、さらに、箱状の施術台の底部にはマイナスイオンを生成するセラミック玉を収納した容器を多数配設したイオン発生装置２０ｃが設けたものである。前記温風吹出装置２はモータにより回転される貫流ファンの送風路にヒータを配置させることにより温風を送出するものであり、先端吹出口には防護網が配設されてペットがファンで傷付けられることがないようにしている。また、箱状の施術台の底部には簀の子板が配設されてペットが滑ることがないようにしている。
【００３８】
このように構成されたものは、箱状の施術台内に洗毛後のペットを収容したうえ、温風吹出装置２の吹出口より温風を吹出すとともに、温ミスト発生装置３のミストホース３８から温ミストを吹出せばペットに吹き付けられることとなり、毛の傷みを防止できるものとなる。また、イオン発生装置２０ｃからのマイナスイオンは送風空気に乗ってペットの毛に吹き付けられて毛の表面にマイナスイオンを付着させるので、温風乾燥による毛から水分の蒸発を防止して毛を保護することとなり毛を傷めることがなく艶のある毛並みに仕上げることができる。
【図面の簡単な説明】
【００３９】
【図１】本考案の第１の実施例を示す側面図である。
【図２】同じく正面図である。
【図３】同じく本体に組み込まれるミスト発生機構である。
【図４】同じく揺動装置の平面図である。
【図５】本考案の第２の実施例を示す側面図である。
【図６】同じく正面図である。
【図７】本考案の第３の実施例を示す側面図である。
【図８】同じく正面図である。
【図９】同じく平面図である。
【図１０】本考案の第４の実施例を示す側面図である。
【図１１】同じく正面図である。
【図１２】同じく平面図である。
【図１３】本考案の第５の実施例を示す側面図である。
【図１４】同じく正面図である。
【図１５】本考案の第６の実施例を示す側面図である。
【図１６】同じく正面図である。
【図１７】本考案の第７の実施例を示す側面図である。
【図１８】本考案の第８の実施例を示す側面図である。
【図１９】本考案に用いるアイロンを示す正面図である。
【図２０】同じく底面図である。
【図２１】同じく側面図である。
【図２２】アイロンの他の実施例を示す側面図である。
【図２３】本考案の第９の実施例を示す一部切欠正面図である。
【図２４】同じく平面図である。
【符号の説明】
【００４０】
２  温風吹出装置
３  温ミスト発生装置
５  揺動機構
20a 吹出管
34a 接続口
38  ミストホース
【図１】
0003128180.tif 000003
【図２】
0003128180.tif 000004
【図３】
0003128180.tif 000005
【図４】
0003128180.tif 000006
【図５】
0003128180.tif 000007
【図６】
0003128180.tif 000008
【図７】
0003128180.tif 000009
【図８】
0003128180.tif 000010
【図９】
0003128180.tif 000011
【図１０】
0003128180.tif 000012
【図１１】
0003128180.tif 000013
【図１２】
0003128180.tif 000014
【図１３】
0003128180.tif 000015
【図１４】
0003128180.tif 000016
【図１５】
0003128180.tif 000017
【図１６】
0003128180.tif 000018
【図１７】
0003128180.tif 000019
【図１８】
0003128180.tif 000020
【図１９】
0003128180.tif 000021
【図２０】
0003128180.tif 000022
【図２１】
0003128180.tif 000023
【図２２】
0003128180.tif 000024
【図２３】
0003128180.tif 000025
【図２４】
0003128180.tif 000026